(57)【要約】【課題】  循環水路の分岐部に特殊構造の回転体及び開閉弁等を設け、この回転体の回動により開閉弁の上下動を制御し、各ノズルからの噴射を順次切り換えながら洗浄を行うことにより、洗浄水の使用量を低減することができる食器洗い乾燥機を提供すること。【解決手段】  本体ケースと、扉と、被洗浄物を収納する洗浄槽と、該洗浄槽内に設けられ洗浄水を噴射するための複数の洗浄ノズルと、該複数の洗浄ノズルに連通される複数の循環水路と、洗浄水を排水するための排水通路と、必要に応じて洗浄水を加熱するための加熱手段と、乾燥空気を供給するためのファンと、各種操作スイッチが配置される操作部とを備えてなる食器洗い乾燥機において、前記循環水路の分岐部に回転体及び複数の開閉弁を設け、前記回転体の回動に応じて前記複数の開閉弁が前記複数の循環水路を順次開閉する食器洗い乾燥機。【選択図】        図２
2005288048.tif 000002
【特許請求の範囲】
【請求項１】
本体ケースと、扉と、被洗浄物を収納する洗浄槽と、該洗浄槽内に設けられ洗浄水を噴射するための複数の洗浄ノズルと、該複数の洗浄ノズルに連通される複数の循環水路と、洗浄水を排水するための排水通路と、必要に応じて洗浄水を加熱するための加熱手段と、乾燥空気を供給するためのファンと、各種操作スイッチが配置される操作部とを備えてなる食器洗い乾燥機において、前記循環水路の分岐部に回転体及び複数の開閉弁を設け、前記回転体の回動に応じて前記複数の開閉弁が前記複数の循環水路を順次開閉することを特徴とする食器洗い乾燥機。
【請求項２】
前記回転体は、洗浄ポンプのオンオフ動作に連動して回転することを特徴とする請求項１記載の食器洗い乾燥機。
【請求項３】
前記開閉弁は、水流により上動されることを特徴とする請求項１、２記載の食器洗い乾燥機。
【請求項４】
前記回転体は、上下に傾斜リブを有し、下動時及び上動時にそれぞれ所定角度回動することを特徴とする請求項１ないし３記載の食器洗い乾燥機。
【請求項５】
本体ケースと、扉と、被洗浄物を収納する洗浄槽と、該洗浄槽内に設けられ洗浄水を噴射するための複数の洗浄ノズルと、該複数の洗浄ノズルに連通される複数の循環水路と、洗浄水を排水するための排水通路と、必要に応じて洗浄水を加熱するための加熱手段と、乾燥空気を供給するためのファンと、各種操作スイッチが配置される操作部とを備えてなる食器洗い乾燥機において、前記循環水路の分岐部に、水流により上動し水の流れを遮断する複数の開閉弁を設け、該複数の開閉弁の上動をソレノイド或いは電磁弁等で順次規制することを特徴とする食器洗い乾燥機。
【発明の詳細な説明】
【技術分野】
【０００１】
本発明は、食器洗い乾燥機に関し、特に、節水洗浄を可能にした食器洗い乾燥機に関するものである。
【背景技術】
【０００２】
近時、食器洗い乾燥機の需要が増え、それにつれて多くの機能が付加されるようになり、効率的な食器の洗浄及び乾燥ができる等、食器洗い乾燥機は、使い勝手の良い製品の一つとして広く利用されている。
【０００３】
一方、購買者は、使い勝手がよいという機能の面は勿論のこと、同じ機能を有する製品であれば、少しでも安価で且つ維持コストの安いものを求める傾向にあり、食器洗い乾燥機においても維持コストをいかに低減するかは、喫緊な課題になっている。
【０００４】
従来の食器洗い乾燥機を図２５に基づいてその概略を説明する。食器洗い乾燥機１は、図に示すように、外壁を形成する本体ケース２と、該本体ケース２の側面部に設けられる扉３等からなる。本体ケース２内には、洗浄槽４が形成されるとともに、該洗浄槽４内にはその上下にそれぞれ下食器かご５及び上食器かご６が収納自在に設けられる。
【０００５】
前記下食器かご５及び上食器かご６の下方には、それぞれ下洗浄ノズル７及び上洗浄ノズル８が左右に１つずつ設けられている。また、洗浄槽４の下部には、貯留槽９が設けられ、洗浄及びすすぎ工程の際、一定量の水が貯留され、貯留された水により食器の洗浄乃至すすぎが行われる。
【０００６】
符号１０は、洗浄ポンプであり、貯留槽９の水を下循環水路１１及び上循環水路１２を介して左右２つの下洗浄ノズル７及び同じく左右２つの上洗浄ノズル８に送り、これら下洗浄ノズル７及び上洗浄ノズル８から下食器かご５及び上食器かご６に入れられる各種食器に貯留槽９の水を噴射し洗浄する。
【０００７】
洗浄後は、自動的にすすぎ工程に切り換えられ、数回のすすぎ工程が繰り返された後、停止される。なお、引き続いて乾燥モードを選択している場合には、図示しない送風ファンが駆動され、貯留槽９内に乾燥空気を送ることにより内部の各種食器を乾燥させる（例えば、特許文献１参照）。
【０００８】
ところで、従来の食器洗い乾燥機は、全てのノズルから常時洗浄水を放出しているため、洗浄ポンプにキャビテーションを起こさせず、且つ全てのノズルに洗浄水を循環させるには、洗浄槽の下部に十分な量の貯水が必要となり、その分運転コストが嵩むという問題を有していた。
【特許文献１】特開平２００２−５３２
【発明の開示】
【発明が解決しようとする課題】
【０００９】
本発明の目的は、従来の問題を解決することであり、詳細には、循環水路の分岐部に特殊構造の回転体及び開閉弁等を設け、この回転体の回動により開閉弁の上下動を制御し、各ノズルからの噴射を順次切り換えながら洗浄を行うことにより、洗浄水の使用量を低減することができる食器洗い乾燥機を提供することである。
【課題を解決するための手段】
【００１０】
上記目的を達成するため、本願発明は以下の構成を採用する。
【００１１】
請求項１に係る発明では、本体ケースと、扉と、被洗浄物を収納する洗浄槽と、該洗浄槽内に設けられ洗浄水を噴射するための複数の洗浄ノズルと、該複数の洗浄ノズルに連通される複数の循環水路と、洗浄水を排水するための排水通路と、必要に応じて洗浄水を加熱するための加熱手段と、乾燥空気を供給するためのファンと、各種操作スイッチが配置される操作部とを備えてなる食器洗い乾燥機において、前記循環水路の分岐部に回転体及び複数の開閉弁を設け、前記回転体の回動に応じて前記複数の開閉弁が前記複数の循環水路を順次開閉する構成。そしてこのような構成により、回転体の回動により各開閉弁が複数の循環水路を順次開放するため、洗浄水は各ノズルから順次噴射されるようになり、少ない水での洗浄が可能になる。
【００１２】
請求項２に係る発明では、前記回転体は、洗浄ポンプのオンオフ動作に連動して回転する構成。このような構成により、特別な駆動機構がなくても回転体を容易に回動させることができる。
【００１３】
請求項３に係る発明では、前記開閉弁は、水流により上動される構成。このような構成により、開閉弁が循環水路を閉鎖する際の応答性が高まる。
【００１４】
請求項４に係る発明では、前記回転体は、上下に傾斜リブを有し、下動時及び上動時にそれぞれ所定角度回動する構成。このような構成により、循環水路の数に応じて回動角度を種々設定することができる。
【００１５】
請求項５に係る発明では、本体ケースと、扉と、被洗浄物を収納する洗浄槽と、該洗浄槽内に設けられ洗浄水を噴射するための複数の洗浄ノズルと、該複数の洗浄ノズルに連通される複数の循環水路と、洗浄水を排水するための排水通路と、必要に応じて洗浄水を加熱するための加熱手段と、乾燥空気を供給するためのファンと、各種操作スイッチが配置される操作部とを備えてなる食器洗い乾燥機において、前記循環水路の分岐部に、水流により上動し水の流れを遮断する複数の開閉弁を設け、該複数の開閉弁の上動をソレノイド或いは電磁弁等で順次規制する構成。このような構成により、各開閉弁が複数の循環水路を順次開放するため、洗浄水は各ノズルから順次噴射されるようになり、少ない水での洗浄が可能になる。
【発明の効果】
【００１６】
請求項１に係る発明では、循環水路の分岐部に回転体及び複数の開閉弁を設け、回転体の回動に応じて各開閉弁の上動が順次規制され、複数の循環水路が順次開閉されることにより、洗浄水の循環量を少なくすることができ、それだけ使用する水量を低減することができる。また、貯水量が同じなら、各洗浄ノズルからの噴射力を大きくできるため、洗浄力を高めることができる。
【００１７】
請求項２に係る発明では、回転体を洗浄ポンプのオンオフ動作に連動して回転することにより、請求項１に係る発明の効果に加え、特別な駆動機構がなくても回転体を容易に回動させることができるため、それだけ生産コストを低減することができる。
【００１８】
請求項３に係る発明では、開閉弁を水流により上動させることにより、請求項１、２に係る発明の効果に加え、開閉弁を軽量化することができ、それだけ生産コストを低減することができる。また、水流の発生により開閉弁が上動されるため循環水路閉鎖時の応答性を高めることができる。
【００１９】
請求項４に係る発明では、回転体の上下に傾斜リブを形成し、下動時及び上動時にそれぞれ所定角度回動することにより、請求項１ないし３に係る発明の効果に加え、循環水路の数、例えば循環水路が４つであれば９０度、６つであれば６０度というように回動角度を種々設定することができる。そして上下動によりそれぞれ角度を分割して回動すること、例えば、９０度の場合、上動時に２０度、下動時に７０度というように回動することができるため、１箇所での回動摩擦を低減することができ、その回動操作をより容易で、且つより確実に行うことができる。
【００２０】
請求項５に係る発明では、循環水路の分岐部に、水流により上動し水の流れを遮断する複数の開閉弁を設け、該複数の開閉弁の上動をソレノイド或いは電磁弁等で順次規制することにより、洗浄水の循環量を少なくすることができ、それだけ使用する水量を低減することができる。また、貯水量が同じなら、各洗浄ノズルからの噴射力を大きくすることができるため、洗浄力を高めることができる。
【実施例１】
【００２１】
図１〜図５に本発明を適用した食器洗い乾燥機を示し、図１にその正面図を示し、図２に図１のＡ−Ａ線断面図を示し、図３に開閉弁近傍の拡大断面図を示し、図４に扉のない状態の正面図を示し、図５に洗浄槽の一部平面図を示す。以下、図１の左側を左方、右側を右方と呼び、その上側を上方、下側を下方と呼び、その紙面と垂直な手前側を前方、その反対側を後方と呼ぶ。
【００２２】
食器洗い乾燥機２０は、外郭を本体ケース２１と扉２２とから形成される。本体ケース２１は、前方側を開口した縦長の矩形状の中空体からなり、その下面には脚２３が取り付けられる。前記扉２２は、本体ケース２１の前方側の開口を開閉するためのもので、図２に示すように下部に設けられるヒンジ２４を支点にしてその上端が下方に回動し、解放時には略水平状態になる。そして、その開放は、図１に示すようにワンプッシュボタン２５を押すことにより図示しないバネの力により行われる。なお、扉は前方側に開くものを示すが、左右に開くものであっても良い。
【００２３】
本体ケース２１内には、洗浄槽２６が配設されるとともに、該洗浄槽２６の下方には、洗浄ポンプ４０等が配置される機械室２７が形成される。洗浄槽２６は、前方側を開口し、本体ケース２１より若干小さな縦長の矩形状の中空体からなり、その前方側の開口は、本体ケース２１の前方側の開口端に一体に取り付けられ、扉２２により開閉される。
【００２４】
また、洗浄槽２６内の左右側には、ほぼ対称に各種洗浄ノズルが取り付けられる。即ち、洗浄槽２６内の下方には、図４及び図５に示すようにその左右側に、左下洗浄ノズル２９及び右下洗浄ノズル３０がそれぞれ設けられる。左下洗浄ノズル２９及び右下洗浄ノズル３０は同じもので、上面に複数のノズル口２８を有し、水が噴出される際の反力により回転し、ノズル口２８から噴出される洗浄水を、下段に設けられる食器かご６１内の食器の下側から吹き付け食器を洗浄する。
【００２５】
また、洗浄槽２６内の後方側である背面には、図４に示すようにその左右側に、左背面ノズル３１、右上背面ノズル３２及び右下背面ノズル３３がそれぞれ設けられる。左背面ノズル３１、右上背面ノズル３２及び右下背面ノズル３３はほぼ同じもので、その前方側に複数のノズル口２８を有し、ノズル口２８から噴出される洗浄水を、上下段に設けられる食器かご６１、６２内の食器の背面側から吹き付けることにより食器を洗浄する。なお、左側のノズルを１個、右側のノズルを２個として示したが、左右同数にしても良いし、左側のノズルを右側より多くしても良い。
【００２６】
さらに、洗浄槽２６内の上方には、図４に示すようにその左右側に、左上洗浄ノズル３４及び右上洗浄ノズル３５がそれぞれ設けられる。左上洗浄ノズル３４及び右上洗浄ノズル３５は同じもので、その下方側に複数のノズル口２８を有し、水が噴出される際の反力により回転し、ノズル口２８から噴出される洗浄水を、上段に設けられる食器かご６２内の食器の上側から吹き付けることにより食器を洗浄する。
【００２７】
前記洗浄槽２６の下方には、水を溜めるための貯留槽３６が形成される。この貯留槽３６には、洗浄工程時、或いは１回のすすぎ工程時に所定量の水が貯留され、貯留された所定量の水で洗浄或いはすすぎが行われる。また、貯留槽３６には、加熱手段としてのヒータ３７が設けられており、必要に応じて洗浄用の水及びすすぎ用の水を加熱し、洗浄或いはすすぎを行う。さらに、貯留槽３６の上方には、残菜フィルター３８が取り外し自在に配置され、食器から洗い落とされた残菜をその上面に留め、この下方の貯留槽３６内に流れ出ないようにする。また、貯留槽３６の下方には、図５に示すように排水口３９が設けられており、排水時、ポンプが駆動され、洗浄用の水或いはすすぎ用の水を排出する。
【００２８】
前記機械室２７には、洗浄ポンプ４０、給水電磁弁４１及び送風ファン４２等が設けられる。洗浄ポンプ４０は、正逆回転可能なポンプで、正回転時には、貯留槽３６内の洗浄水或いはすすぎ水を前記各ノズルに送り、逆回転時には、貯留槽３６内の洗浄水或いはすすぎ水を前記排水口３９より外部に排出する。洗浄ポンプ４０は、洗浄工程時及びすすぎ工程時には、１０〜３０秒毎にオンオフ駆動される既に公知のもので、各ノズルより間欠的に水を噴出する。
【００２９】
給水電磁弁４１は、洗浄工程時或いはすすぎ工程時に貯留槽３６内に所定量の水を供給するためのもので、その一方端は図示しない水道栓に連結され、他方端は貯留槽３６に連結され、洗浄或いはすすぎの給水時に開放され、所定量の水を貯留槽３６内に給水する。また、本願発明では、通常よりも少ない量の水が供給される。
【００３０】
送風ファン４２は、乾燥時に駆動されるファンで、シロッコファン等が用いられる。送風ファン４２の一方側の図示しない空気取入口は、機械室２７に連通され、本体ケース２１の底部に設けられる図示しない開口より外気を導入する。また、送風ファン４２の他方側は、乾燥ヒータ４３を内設する送風路４４を介して本体ケース２１と洗浄槽２６との側面間に形成される送風路に連通される。この送風路は、垂直な上向送風路４５、水平送風路４６及び垂直な下向送風路４７からなる逆Ｕ字形のもので、下向送風路４７の下方には、洗浄槽２６の下部内に開口する吐出口４８が設けられる。
【００３１】
そして、洗浄後の乾燥時、送風ファン４２が駆動されるとともに、必要に応じて乾燥ヒータ４３に通電され、乾燥空気を上向送風路４５、水平送風路４６及び下向送風路４７を介して下向送風路４７の下方に設けられる吐出口４８より、洗浄槽２６の下部内に導入し、洗浄後の食器を乾燥する。乾燥後の空気は、図示しない送風路を介して図１に示すように扉２２の上方に設けられる排気孔４９より排出される。
【００３２】
前記機械室２７の前方の本体ケース２１面には、操作部５０が形成される。操作部５０には、オンオフの切り換えを行うスタートスイッチ５１、標準モードを設定する標準スイッチ５２、食器の汚れがひどいときに設定する念入りスイッチ５３、食器の汚れが少ないときに設定する簡単スイッチ５４、予洗い、乾燥のみ、或いはおこのみを設定するおこのみスイッチ５５、洗剤は普通に、水量を少なくして洗剤の割合を多くする濃縮洗浄を行う容量スイッチ５６、乾燥を設定する乾燥スイッチ５７及び表示部５８等を備えている。
【００３３】
操作部５０のこれら各種操作スイッチと反対側には、図２に示すように各種制御素子５９を搭載したマイコン基板６０が設けられ、各種操作スイッチを操作することにより、洗浄ポンプ４０、給水電磁弁４１、或いは送風ファン４２等が駆動され、洗浄工程時或いはすすぎ工程時には通常より少ない水量が供給され、さらに濃縮洗浄時にはより少ない水量が供給される。
【００３４】
図２に下段に設置される下食器かご６１及び上段に設置される上食器かご６２を示す。下食器かご６１及び上食器かご６２は、洗浄槽２６内の両側面に水平に取り付けられる図示しないレールに沿って前後方向に出し入れ可能とされ、扉２２を開け、下食器かご６１及び上食器かご６２を引き出し、その中に各種皿６３、コップ６４及び茶碗６５等を入れ、次いで下食器かご６１及び上食器かご６２を押し込んでセットし、洗浄を開始する。洗い乾燥の終了後は、逆の手順で食器を取り出す。
【００３５】
前記洗浄ポンプ４０と左下洗浄ノズル２９、右下洗浄ノズル３０、左背面ノズル３１、右上背面ノズル３２、右下背面ノズル３３、左上洗浄ノズル３４及び右上洗浄ノズル３５の各ノズルとを連通する給水経路の分岐部には、上流側に弁収納室７０が、該弁収納室７０の直下流には後記の各種循環口７１が形成されるとともに、この各種循環口７１の下流側は、同じく後記の各種循環水路を介して前記各ノズル２９〜３５に連通される。
【００３６】
前記各種循環口７１は、図３のＣ−Ｃ線断面図である図７に示すように隔壁８０により４つに区画形成される循環口で、下ノズル用左循環口７２、下ノズル用右循環口７３、上ノズル用左循環口７４及び上ノズル用右循環口７５からなり、その下端部は平坦とされ、後記の開閉弁が当接可能な弁座部を形成している。
【００３７】
また、４つの各種循環口７１のそれぞれの下流側である上端部は、４つの各種循環水路に連通される。即ち、各種循環水路は、図５に示すように下ノズル用左循環水路７６、下ノズル用右循環水路７７、上ノズル用左循環水路７８及び上ノズル用右循環水路７９からなり、下ノズル用左循環口７２には、下ノズル用左循環水路７６が連通され、図５で矢印ａで示すように水が流れるとともに、該水ａは左下洗浄ノズル２９に供給される。また、下ノズル用右循環口７３には、下ノズル用右循環水路７７が連通され、図５で矢印ｂで示すように水が流れるとともに、該水ｂは、右下洗浄ノズル３０に供給される。
【００３８】
さらに、上ノズル用左循環口７４には、上ノズル用左循環水路７８が連通され、図５で矢印ｃで示すように水が流れるとともに、該水ｃは、左背面ノズル３１及び左上洗浄ノズル３４に供給され、上ノズル用右循環口７５には、上ノズル用右循環水路７９が連通され、図５で矢印ｄで示すように水が流れるとともに、該水ｄは、右上背面ノズル３２、右下背面ノズル３３及び右上洗浄ノズル３５に供給される。
【００３９】
前記弁収納室７０には、図３のＢ−Ｂ線断面図である図６に示すように、左下開閉弁８１、右下開閉弁８２、左上開閉弁８３及び右上開閉弁８４の４個の開閉弁が配設される。これら４個の開閉弁は、同形のもので図８及び図９に示すようにそれぞれ弁体８５、中空円筒部８６及びＬ字状板体８７からなる。弁体８５は１／４円形の扇形板体で、上動時にはその平坦な上面は、前記各循環口７１の下端の弁座としての機能を有する平坦部に当接し、弁収納室７０から各循環口７１への洗浄水を遮断する。その状態を図３に示す。即ち、４個の開閉弁のうちいずれか１個がＳ位置にあるときには、Ｓ位置にある開閉弁が設けられる循環口のみを開放し、その他の３個の開閉弁はＲ位置にあり、Ｒ位置にある開閉弁が設けられる３個の循環口は閉鎖される。
【００４０】
前記中空円筒部８６は、４個の各開閉弁８１〜８４を上下方向のみの動きをさせるための案内部材であり、弁収納室７０内の底面より立設される案内棒８９に嵌合され、弁収納室７０内に洗浄水が流れ込むとその水圧により弁体８５を案内棒８９に沿って上動させる。また、前記Ｌ字状板体８７は、その先端に水平方向に突き出た係止リブ８８を有する部材で、後記の回転体が該係止リブ８８に係合する。
【００４１】
符号９０は回転体であり、該回転体９０は、図１０及び図１１に示すように円形部材９１、下部傾斜リブ９２、上部傾斜リブ９３及び係止突起９４を有する。円形部材９１はその中央に貫通孔９５を有する円盤状の部材である。そして、貫通孔９５は弁収納室７０の内底面から立設される支柱９６に嵌合されており、弁収納室７０内に洗浄ポンプ４０からの洗浄水が流れ込むと、円形部材９１はその下面に水圧を受け支柱９６に沿って上動される。
【００４２】
前記下部傾斜リブ９２は、円形部材９１の下面に垂下する部材であり、円周方向に９０度の等間隔で４個設けられ、その下面には、図１２の展開図に示すように、右下方向に傾斜した下部傾斜面９２ａが形成される。また、上部傾斜リブ９３は、円形部材９１の上面に形成される部材であり、やはり円周方向に９０度の等間隔で４個設けられており、その上面には、図１２の展開図に示すように、右上方向に傾斜した上部傾斜面９３ａが形成される。
【００４３】
前記係止突起９４は、円形部材９１の１側面に水平に張り出して設けられる部材であり、左下開閉弁８１、右下開閉弁８２、左上開閉弁８３及び右上開閉弁８４の４個の開閉弁のうちのいずれか１個の開閉弁の係止リブ８８に係合し、係合する開閉弁のみの上動を規制し、その開閉弁を開放する。
【００４４】
符号９７は固定円盤であり、固定円盤９７は、図１３及び図１４に示すように、その中央にビス挿通口９８ｂを有する円形の部材であり、その底面には第１傾斜リブ９８が形成される。第１傾斜リブ９８は、円周方向に９０度の等間隔で４個設けられ、その下面には、図１５の展開図に示すように、右下方向に傾斜した第１傾斜面９８ａが形成される。そしてこの固定円盤９７は、弁収納室７０の内底面から立設される支柱９６の上端部にビス９６ａによって固定される。
【００４５】
また、弁収納室７０の内底面から立設される支柱９６のまわりには、図３に示すように第２傾斜リブ９９が形成される。第２傾斜リブ９９は、円周方向に９０度の等間隔で４個設けられており、その下面には、図１６の展開図に示すように、右上方向に傾斜した第２傾斜面９９ａが形成される。
【００４６】
このような構成により、回転体９０は、洗浄ポンプ４０のオンオフ制御によって間欠的に生じる水流の有無により上下動し、１回の上下動により９０度ずつ回動し、９０度回動するたびに回転体９０の側面に設けられる係止突起９４が、左下開閉弁８１、右下開閉弁８２、右上開閉弁８４及び左上開閉弁８３の４個の開閉弁のそれぞれに形成される係止リブ８８に順次係合し、係合した開閉弁の上動を規制し、上動を規制された開閉弁に対応する循環口７１のみに洗浄水が供給される。
【００４７】
次に、回転体９０が洗浄ポンプ４０のオンオフ制御によって間欠的に生じる水流の有無により上下動し、１回の上下動により９０度ずつ回動する機構について図１６により説明する。図は、固定円盤９７の下面に円形で且つ等間隔に４個設けられる第１傾斜リブ９８と、回転体９０の上下面にそれぞれ円形で且つ等間隔に４個設けられる上部傾斜リブ９３及び下部傾斜リブ９２と、弁収納室７０の底部に円形で且つ等間隔に４個設けられる第２傾斜リブ９９とを展開して示すものであり、固定されている固定円盤９７と弁収納室７０とを結ぶ任意の垂直線であるＭ−Ｍ線と、回転体９０の任意の垂直線であるＮ−Ｎ線とを用いて説明する。
【００４８】
図（イ）は、洗浄ポンプ４０がオフで水流がなく、回転体９０は自重で下方位置にあり、回転体９０の下部傾斜リブ９２の右上方向の下部傾斜面９２ａと弁収納室７０の第２傾斜リブ９９の同じく右上方向の第２傾斜面９９ａとは当接され、Ｍ−Ｍ線とＮ−Ｎ線とは同一線上にある。
【００４９】
洗浄ポンプ４０が駆動され水流が発生すると、回転体９０は水流により図（ロ）に示すようにＭ−Ｍ線に沿って上動され、回転体９０の上部傾斜リブ９３の右下方向の上部傾斜面９３ａは、固定円盤９７の第１傾斜リブ９８の同じく右下方向の第１傾斜面９８ａに当接される。
【００５０】
そして、回転体９０が水流によりさらに上向きの力を受けると、回転体９０の上部傾斜面９３ａは、固定円盤９７の第１傾斜面９８ａ上を滑って図の左上方へ移動し、ついには回転体９０の上部傾斜リブ９３の側面と固定円盤９７の第１傾斜リブ９８の側面が当接し、回転体９０の移動は停止される。その状態を図（ハ）に示す。そしてこの状態は、回転体９０のＮ−Ｎ線がＭ−Ｍ線より反時計方向に２０度ずれた状態となる。即ち、回転体９０は、１度の上動により２０度回動する。
【００５１】
次いで、洗浄ポンプ４０がオフし水流がなくなると、回転体９０は自重で真下に下がり、回転体９０の下部傾斜リブ９２の下部傾斜面９２ａは、図（ニ）に示すように弁収納室７０の第２傾斜リブ９９の第２傾斜面９９ａに当接される。そしてさらに回転体９０の自重が加わると、回転体９０の下部傾斜面９２ａは、弁収納室７０の第２傾斜面９９ａ上を滑って図の左下方へ移動し、ついには回転体９０の下部傾斜リブ９２の側面と弁収納室７０の第２傾斜リブ９９の側面が当接し、回転体９０の移動は停止される。その状態を図（ホ）に示す。そしてこの状態は、回転体９０が図（ニ）から７０度回動した状態であり、Ｍ−Ｍ線から見ればＮ−Ｎ線は反時計方向に９０度ずれている。即ち、回転体９０は、１度の上下動により９０度回動する。図（ホ）の状態は、図（イ）の状態と同じであり、以後同様の動作を繰り返し、洗浄ポンプ４０がオンオフすることによる水流の発生と停止の度に回転体９０は９０度ずつ回転し、４個の開閉弁の上動を順次規制し、洗浄ポンプ４０からの洗浄水を４個の循環水路に順番に供給する。
【００５２】
図２４に食器洗い乾燥機２０の制御装置１００を示す。制御装置１００は、メモリ１０２に予め格納しているプログラムを実行し、洗浄及び乾燥制御を行うマイクロコンピュータ１０１によって制御される。マイクロコンピュータ１０１には、操作部５０に配置されるスタートスイッチ５１、標準モードを設定する標準スイッチ５２、食器の汚れがひどいときに設定される念入りスイッチ５３、食器の汚れが少ないときに設定される簡単スイッチ５４、予洗いを必要とするときに設定されるおこのみスイッチ５５、水をより少なくし洗剤の割合を多くする濃縮洗浄、或いは、全量洗浄或いは片側洗浄を設定する容量スイッチ５６、乾燥を設定する乾燥スイッチ５７からなる各種スイッチ１０３が連結され、選定された信号に基づいた洗浄、乾燥制御が実行される。
【００５３】
マイクロコンピュータ１０１には、洗浄水の水位を感知する水位センサ１０４、ドアセンサ１０５、洗浄水の温度を感知する水温センサ１０６、過熱センサ１０７からの検知信号が入力され、各信号に応じた適正な洗浄及び乾燥制御が行われる。即ち、洗浄工程時及びすすぎ工程時では、洗浄ポンプ４０がオンオフ駆動されるとともに、所定時間給水電磁弁４１が開放され、所定の水量が貯留槽３６に貯留される。
【００５４】
洗浄工程及びすすぎ工程後では、図示しない排水弁が開放されるとともに、洗浄ポンプ４０が逆転し、 排水口３９から洗浄及びすすぎ後の水が排水される。さらに、乾燥工程時では、送風ファン４２が駆動され、洗浄後の各種食器を乾燥させる。そして、制御状態等を表示部５８に表示し、制御終了等をブザー１０８により報知する。
【００５５】
洗浄後は数回のすすぎ工程が同様に実行され、全ての食器を洗浄する。なお、必要に応じて乾燥工程が行われる。乾燥は、乾燥ヒータ４３を必要に応じて通電し、送風ファン４２を駆動することにより行われる。乾燥空気は、送風路４４、垂直な上向送風路４５、水平送風路４６及び垂直な下向送風路４７を経て、下向送風路４７の下方に設けられる吐出口４８より洗浄槽２６内に供給され、洗浄槽２６内の食器を乾燥させる。乾燥後の空気は、扉２２の上方に設けられる排気孔４９より排出される。
なお、この実施例では、上動で２０度、下動で７０度の移動として説明しているが一回の上下の動作で移動する角度は、５０度、５０度でも良いし、開閉弁の角度移動が可能な範囲においてはいろいろな角度を選択可能である。
【実施例２】
【００５６】
図１７〜図２０は、開閉弁を２個にし、４個の循環口７１のうち、下ノズル用左循環口７２と上ノズル用左循環口７４とを１個の開閉弁で開閉し、下ノズル用右循環口７３と上ノズル用右循環口７５とを他の１個の開閉弁で開閉するとともに、２個の開閉弁をそれぞれ１個のソレノイド弁で開閉するものであり、図１７は図３に対応する図、図１８は開閉弁の平面図、図１９は図１８のＦ−Ｆ線断面図、図２０は図１７のＥ−Ｅ線断面図である。なお、全体の構造等は、実施例１と同じものであり詳細な説明は省略する。
【００５７】
即ち、弁収納室７０には、左開閉弁１２１及び右開閉弁１２２が配設される。左開閉弁１２１及び右開閉弁１２２は、図１８及び図１９に示すように、同形のものでそれぞれ弁体１２３、中空円筒部１２４及びＬ字状板体１２５からなる。弁体１２３は、半円形の板体で各種循環口７１の下端の弁座としての機能を有する平坦部に当接可能とされ、弁収納室７０から各種循環口７１への洗浄水を流通させたり、遮断したりする。その状態を図１７に示す。即ち、左右開閉弁１２１、１２２がＲ位置にあるときには、循環口７１を開放しており、水は矢印で示すように流れ、Ｓ位置にあるときには、下ノズル用左循環口７２及び上ノズル用左循環口７４と、下ノズル用右循環口７３及び上ノズル用右循環口７５との両方の４個全て或いはいずれか２個ずつの循環口７１を遮断している。
【００５８】
前記中空円筒部１２４は、左右開閉弁１２１、１２２を上下方向のみの動きをさせるための案内部材であり、弁体１２３の裏面に垂下して設けられ、弁収納室７０内の底面より立設される断面十字状の案内棒１２７に嵌合され、弁収納室７０内に洗浄水が流れ込むとその水圧により弁体１２３を案内棒１２７に沿って上動させる。また、前記Ｌ字状板体１２５は、その先端に水平方向に突き出た係止リブ１２６を有する部材で、後記のソレノイドが係合可能とされる。
【００５９】
符号１２８、１２９は左ソレノイド、右ソレノイドであり、左ソレノイド１２８及び右ソレノイド１２９は、図１７に示すように弁収納室７０の側壁に水平方向に取り付けられるとともに、その先端の係合突起１３０、１３０は、それぞれ弁収納室７０内に侵入されており、両ソレノイド１２８、１２９のそれぞれ、或いは同時の通電により、係合突起１３０は、弁収納室７０内へより突き出され、左右開閉弁１２１、１２２のＬ字状板体１２５の先端に水平方向に突き出た係止リブ１２６に係合し、左右開閉弁１２１、１２２のいずれかをＲ位置に保持して水流によるいずれかの左右開閉弁１２１、１２２の上動を規制し、洗浄水の各種ノズルへの流れを許容する。
【００６０】
そして、両ソレノイド１２８、１２９は、洗浄ポンプ４０のオンオフに動作に連動して切り替えられ、例えば、洗浄ポンプ４０のオン動作により左ソレノイド１２８が駆動され、左開閉弁１２１を開放するとともに、右開閉弁１２２は水圧により閉鎖され、左下洗浄ノズル２９、左背面ノズル３１及び左上洗浄ノズル３４から洗浄水が噴射される。そして次の洗浄ポンプ４０のオン動作により右ソレノイド１２９が駆動され、右開閉弁１２２を開放するとともに、左開閉弁１２１は水圧により閉鎖され、右下洗浄ノズル３０、右上背面ノズル３２、右下背面ノズル３３及び右上洗浄ノズル３５から洗浄水が噴射される。
【００６１】
この実施例の場合は、左右のノズルから交互に洗浄水を噴射するものであるが、このような噴射形態でも実施例１のものと同様に洗浄水を節約することができる。なお、実施例１のように開閉弁を４個の各循環口７１に対応して４個設け、４個の開閉弁のそれぞれに対応させてソレノイドを弁収納室の周方向に４個設け、各ソレノイドを洗浄ポンプ４０のオンオフ動作に連動して順次切り替え、左下洗浄ノズル２９から、次いで右下洗浄ノズル３０から、次いで右上背面ノズル３２、右下背面ノズル３３及び右上洗浄ノズル３５から、次いで左背面ノズル３１及び左上洗浄ノズル３４からと順次洗浄水を切り替えて噴射するようにしても良い。
【実施例３】
【００６２】
図２１〜図２３は、実施例２と同様に開閉弁を２個にし、４個の循環口７１のうち、下ノズル用左循環口７２と上ノズル用左循環口７４とを１個の開閉弁で開閉し、下ノズル用右循環口７３と上ノズル用右循環口７５とを他の１個の開閉弁で開閉するとともに、一方に設けたマグネットをモーターで回動し、開閉弁に設けた他のマグネットを連れ回りさせ、２個の開閉弁をそれぞれ開閉するものであり、図２１は図３に対応する図、図２２は開閉弁の平面図、図２３は図２２のＨ−Ｈ線断面図である。なお、全体の構造等は、実施例１と同じものであり詳細な説明は省略する。
【００６３】
即ち、弁収納室７０には、左開閉弁１４１及び右開閉弁１４２が配設される。左開閉弁１４１及び右開閉弁１４２は、図２２に示すように、同形のものでそれぞれ弁体１４３、中空円筒部１４４及び略Ｌ字状板体１４５からなる。弁体１４３は、半円形の板体で各種循環口７１の下端の弁座としての機能を有する平坦部に当接可能とされ、弁収納室７０から各種循環口７１への洗浄水を流通させたり、遮断したりする。その状態を図２１に示す。即ち、左右開閉弁１４１、１４２がＲ位置にあるときには、循環口７１を開放しており、水は矢印で示すように流れ、Ｓ位置にあるときには、下ノズル用左循環口７２及び上ノズル用左循環口７４と、下ノズル用右循環口７３及び上ノズル用右循環口７５との両方の４個全て或いはいずれか２個ずつの循環口７１を遮断している。
【００６４】
前記中空円筒部１４４は、左右開閉弁１４１、１４２を上下方向のみの動きをさせるための案内部材であり、弁体１４３の裏面に２個垂下して設けられ、弁収納室７０内の底面より立設される断面十字状の案内棒１４７に嵌合され、弁収納室７０内に洗浄水が流れ込むとその水圧により弁体１４３を案内棒１４７に沿って上動させる。また、前記略Ｌ字状板体１４５は、その側面に水平方向に突き出た係止リブ１４６を有する部材で、後記の回転体の係止突起が係合される。
【００６５】
符号１５０は回転体であり、該回転体１５０は、その中央に貫通孔１５０ａを有する円盤状部材からなり、その一側面には係止突起１５１を有する。また、回転体１５０の下面には、リング状の第１マグネット１５２が接着材等により取り付けられている。そして、回転体１５０は、弁収納室７０の内底面から立設される支柱１５３に回転自在に嵌合され、回転体１５０が回動することにより、回転体１５０の側面に設けられる係止突起１５１が左右開閉弁１４１、１４２のそれぞれの係止リブ１４６に係合し、左右開閉弁１４１、１４２のいずれかをＲ位置に保持して水流によるいずれかの左右開閉弁１４１、１４２の上動を規制し、洗浄水の各種ノズルへの流れを許容する。
【００６６】
弁収納室７０の底壁には、モーター１５８が取り付けられ、さらに、モーター１５８には上方に立設する形態で軸１５７が設けられる。そして、該軸１５７の上方には、皿状の回動部材１５４が設けられるとともに、回動部材１５４の皿形状内には、リング状の第２マグネット１５６が接着材等により取り付けられ、モーター１５８により回動される。
【００６７】
この第２マグネット１５６は、弁収納室７０の底壁より若干の間隙を有して回動されるが、第２マグネット１５６の回動により、弁収納室７０内に設けられる第１マグネット１５２が連れ回りされる。即ち、第１マグネット１５２と第２マグネット１５６とで無接点式の回動機構を構成している。
【００６８】
そして、モーター１５８は、洗浄ポンプ４０のオンオフ動作に連動して回動され、例えば、洗浄ポンプ４０のオン動作により回転体１５０の係止突起１５１が左開閉弁１４１の係止リブ１４６に係合するように回動し、左開閉弁１４１を開放するとともに、右開閉弁１４２は水圧により閉鎖され、左下洗浄ノズル２９、左背面ノズル３１及び左上洗浄ノズル３４から洗浄水が噴射される。そして次の洗浄ポンプ４０のオン動作により回転体１５０の係止突起１５１が右開閉弁１４２の係止リブ１４６に係合するように回動し、右開閉弁１４２を開放するとともに、左開閉弁１４１は水圧により閉鎖され、右下洗浄ノズル３０、右上背面ノズル３２、右下背面ノズル３３及び右上洗浄ノズル３５から洗浄水が噴射される。
【００６９】
この実施例の場合も、実施例２と同様に左右のノズルから交互に洗浄水を噴射するものであるが、このような噴射形態でも実施例１のものと同様に洗浄水を節約することができる。なお、実施例１のように開閉弁を４個の各循環口７１に対応して４個設け、４個の開閉弁のそれぞれを洗浄ポンプ４０のオンオフ動作に連動して第２マグネット１５６を回動し、各循環口７１を順次切り替え、左下洗浄ノズル２９から、次いで右下洗浄ノズル３０から、次いで右上背面ノズル３２、右下背面ノズル３３及び右上洗浄ノズル３５から、次いで左背面ノズル３１及び左上洗浄ノズル３４からと順次洗浄水を切り替えて噴射するようにしても良い。
【００７０】
本願発明は、上記実施例の構成に限定されるものではなく、発明の要旨を逸脱しない範囲において適宜設計変更可能である。
【図面の簡単な説明】
【００７１】
【図１】本願発明の食器洗い乾燥機の正面図
【図２】図１のＡ−Ａ線断面図
【図３】本願発明の開閉弁近傍を示す拡大断面図
【図４】本願発明の食器洗い乾燥機の扉のない状態を示す正面図
【図５】本願発明の食器洗い乾燥機の洗浄槽の一部を示す平面図
【図６】図３のＢ−Ｂ線断面図
【図７】図３のＣ−Ｃ線断面図
【図８】図６のＤ−Ｄ線断面図
【図９】図８を左からみた図図
【図１０】回転体の平面図
【図１１】回転体の側面図
【図１２】回転体の展開図
【図１３】固定円盤の平面図
【図１４】固定円盤の側面図
【図１５】固定円盤の展開図
【図１６】回転体が回転する状態を示す展開図
【図１７】本願発明の他の食器洗い乾燥機の正面図
【図１８】開閉弁の平面図
【図１９】図１８のＦ−Ｆ線断面図
【図２０】図１７のＥ−Ｅ線断面図
【図２１】本願発明の更に他の食器洗い乾燥機の正面図
【図２２】図２１のＧ−Ｇ線断面図
【図２３】図２２のＨ−Ｈ線断面図
【図２４】本願発明の食器洗い乾燥機の制御装置を示す概略図
【図２５】従来例の食器洗い乾燥機の断面図
【符号の説明】
【００７２】
２０  乾燥機                  ２１  本体ケース
２２  扉                      ２３  脚
２４  ヒンジ                  ２５  ワンプッシュボタン
２６  洗浄槽                  ２７  機械室
２８  ノズル口                ２９  左下洗浄ノズル
３０  右下洗浄ノズル          ３１  左背面ノズル
３２  右上背面ノズル          ３３  右下背面ノズル
３４  左上洗浄ノズル          ３５  右上洗浄ノズル
３６  貯留槽                  ３７  ヒータ
３８  残菜フィルター          ３９  排水口
４０  洗浄ポンプ              ４１  給水電磁弁
４２  送風ファン              ４３  乾燥ヒータ
４４  送風路                  ４５  上向送風路
４６  水平送風路              ４７  下向送風路
４８  吐出口                  ４９  排気孔
５０  操作部                  ５１  スタートスイッチ
５２  標準スイッチ            ５３  念入りスイッチ
５４  簡単スイッチ            ５５  おこのみスイッチ
５６  容量スイッチ            ５７  乾燥スイッチ
５８  表示部                  ５９  制御素子
６０  マイコン基板            ６１  下食器かご
６２  上食器かご              ６３  皿
６４  コップ                  ６５  茶碗
７０  弁収納室                ７１  循環口
７２  下ノズル用左循環口      ７３  下ノズル用右循環口
７４  上ノズル用左循環口      ７５  上ノズル用右循環口
７６  下ノズル用左循環水路    ７７  下ノズル用右循環水路
７８  上ノズル用左循環水路    ７９  上ノズル用右循環水路
８０  隔壁                    ８１  左下開閉弁
８２  右下開閉弁              ８３  左上開閉弁
８４  右上開閉弁              ８５，１２３，１４３  弁体
８６，１２４，１４４  中空円筒部    ８７，１２５，１４５  Ｌ字状板体
８８，１２６，１４６  係止リブ      ８９，１２７，１４７  案内棒
９０，１５０  回転体          ９１  円形部材
９２  下部傾斜リブ            ９２ａ  下部傾斜面
９３  上部傾斜リブ            ９３ａ  上部傾斜面
９４，１５１  係止突起        ９５，１５０ａ  貫通孔
９６，１５３  支柱            ９６ａ  ビス
９７  固定円盤                ９８  第１傾斜リブ
９８ａ  第１傾斜面            ９８ｂ  ビス挿通口
９９  第２傾斜リブ            ９９ａ  第２傾斜面
１００  制御装置              １０１  マイクロコンピュータ
１０２  メモリ                １０３  操作スイッチ
１０４  水位センサ            １０５  ドアセンサ
１０６  水温センサ            １０７  過熱センサ
１０８  ブザー                １２１，１４１  左開閉弁
１２２，１４２  右開閉弁      １２８  左ソレノイド
１２９  右ソレノイド          １３０  係合突起
１５２  第１マグネット        １５４  回動部材
１５６  第２マグネット        １５７  軸
１５８  モーター
【図１】
2005288048.tif 000003
【図２】
2005288048.tif 000004
【図３】
2005288048.tif 000005
【図４】
2005288048.tif 000006
【図５】
2005288048.tif 000007
【図６】
2005288048.tif 000008
【図７】
2005288048.tif 000009
【図８】
2005288048.tif 000010
【図９】
2005288048.tif 000011
【図１０】
2005288048.tif 000012
【図１１】
2005288048.tif 000013
【図１２】
2005288048.tif 000014
【図１３】
2005288048.tif 000015
【図１４】
2005288048.tif 000016
【図１５】
2005288048.tif 000017
【図１６】
2005288048.tif 000018
【図１７】
2005288048.tif 000019
【図１８】
2005288048.tif 000020
【図１９】
2005288048.tif 000021
【図２０】
2005288048.tif 000022
【図２１】
2005288048.tif 000023
【図２２】
2005288048.tif 000024
【図２３】
2005288048.tif 000025
【図２４】
2005288048.tif 000026
【図２５】
2005288048.tif 000027